(57)【特許請求の範囲】
【請求項１】
読み出し対象となる対象データのディスク上におけるアドレスを設定する設定手段と、
前記設定手段により設定されたアドレスをサーチし、対象データをディスクから読み出す読出手段と、
前記読出手段が設定されたアドレスをサーチできない場合に、再生信号のジッタ値を取得する取得手段と、
前記取得手段により取得されたジッタ値が予め定められた規定値を超えている場合に、前記設定手段により設定されたアドレスを破棄し、前記読出手段を制御して次の対象データをサーチさせる読出制御手段と、
を備えることを特徴とするディスク再生装置。
【請求項２】
所定の再生管理情報に従って、読み出し対象となる対象データのディスク上におけるアドレスを設定する設定手段と、
前記設定手段により設定されたアドレスをサーチし、取得した再生信号により対象データをディスクから読み出す読出手段と、
前記読出手段が設定されたアドレスの対象データをサーチできない場合に、再生信号のジッタ値を取得する取得手段と、
前記取得手段により取得されたジッタ値が予め定められた規定値を超えているか否かを判別する判別手段と、
前記判別手段によりジッタ値が規定値を超えていると判別された場合に、前記設定手段により設定されたアドレスを破棄し、前記読出手段を制御して次の対象データをサーチさせる読出制御手段と、
を備えることを特徴とするディスク再生装置。
【請求項３】
所定の表示情報を表示する表示手段と、
前記読出手段が設定されたアドレスをサーチできない場合に、ディスクの不具合により連続的にデータを再生できない旨を示す表示情報を生成して、前記表示手段に表示させる表示情報生成手段と、を更に備える、
ことを特徴とする請求項１又は２に記載のディスク再生装置。
【請求項４】
所定の再生管理情報に従って、読み出し対象となる対象データのディスク上におけるアドレスを設定する設定ステップと、
前記設定ステップにて設定されたアドレスをサーチし、取得した再生信号により対象データをディスクから読み出す読出ステップと、
前記読出ステップにて、設定されたアドレスの対象データをサーチできない場合に、再生信号のジッタ値を取得する取得ステップと、
前記取得ステップにて取得されたジッタ値が予め定められた規定値を超えているか否かを判別する判別ステップと、
前記判別ステップにてジッタ値が規定値を超えていると判別された場合に、前記設定ステップにて設定されたアドレスを破棄し、前記読出ステップにて次の対象データをサーチさせる読出制御ステップと、
を備えることを特徴とする再生制御方法。
【発明の詳細な説明】
【０００１】
【発明の属する技術分野】
本発明は、ＤＶＤ（Digital Versatile Disk）規格のディスク等を再生するディスク再生装置に関し、特に、再生困難な箇所を有するディスクを適切に再生することのできるディスク再生装置および再生制御方法に関する。
【０００２】
【従来の技術】
近年、映画用や音楽用のＤＶＤソフトの普及に伴い、ＤＶＤプレーヤに代表されるディスク再生装置が広まっている。ＤＶＤ規格のディスクは、ＣＤ（コンパクトディスク）と同じ大きさでありながら、記録面におけるトラックピッチを狭くし、データを圧縮して記録することから、片面に４．７ギガバイトものデータを記録できる。
そして、ディスク再生装置は、このようなＤＶＤ規格のディスクからデータを読み出すために、ＣＤ読み取り用のレーザ光よりも、波長が短く、細かな読み取りを実現できる赤色レーザ光を用い、かつ、読み取りレンズの開口率を大きくすることで、より小さなスポットを結び、高密度な読み取りを可能としている。
【０００３】
このような、従来のディスク再生装置の構成の一例を図５に示す。図示するように、ディスク再生装置は、ＲＦアンプ１０１と、サーボ／ドライバ１０２と、信号処理回路１０３と、トラックバッファ１０４と、システムデコーダ１０５と、システムマイコン１０６とを含んで構成され、ＤＶＤ規格のディスクｄから所望のデータを読み出して再生する。
【０００４】
ＲＦアンプ１０１は、ディスクｄからの反射光検出信号に従って、ＲＦ信号等を生成する。サーボ／ドライバ１０２は、スレッドモータやピックアップ等を制御して、ディスクｄからデータを読み出す。
信号処理回路１０３は、読み出したデータを復調し、誤り訂正等を行う。トラックバッファ１０４は、信号処理回路１０３により復調等された復調データを順次記憶する。
システムデコーダ１０５は、トラックバッファ１０４に記憶された復調データを、映像データ、音声データ及び、副映像データ等にデコードする。システムマイコン１０６は、ディスク再生装置全体を制御する。
【０００５】
なお、ディスクｄには、映像、音声、副映像（サブピクチャ）というような複数の異なるデータが様々な圧縮方法で記録されている。そして、利用者は、ディスク再生装置を操作して、ディスクｄに記録されているこれらのデータを、規定の再生順序に従って再生させたり、任意の再生順序を選択して再生させることができる。
例えば、ディスクｄに、１つの映像ストリームと、最大８つの音声ストリーム及び最大３２の副映像ストリームとが記録されている場合に、利用者は、１つの音声ストリーム及び副映像ストリームを任意に選択し、ディスク再生装置にて所望の再生順序にてデータを再生させることができる。
【０００６】
この際、ディスク再生装置は、ディスクｄに記録されたデータを、単に連続して再生するだけでなく、記録されたデータをどのように再生するかを規定する再生管理情報（ナビゲーションデータ）に従って、読み出し対象のデータを順次読み出して、復調等を行う。
具体的に説明すると、図６に示すように、システムマイコン１０６は、ナビゲーションデータに従って、再生順序（ナビゲーション）を確定し（Ａ１）、データを読み出すためのディスク上のアドレスを設定する（Ａ２）。
そして、設定したアドレスに従って、サーボ／ドライバ１０２を制御してデータをサーチして読み出すと、システムマイコン１０６は、信号処理回路１０３を制御し、読み出したデータの復調・誤り訂正を行い（Ａ３）、復調データをトラックバッファ１０４に格納する（Ａ４）。システムマイコン１０６は、これらＡ１〜Ａ４の動作を繰り返し行う。
また、並行して、システムマイコン１０６は、システムデコーダ１０５を制御して、トラックバッファ１０４に格納された復調データを連続的にデコードする（Ａ５）。
【０００７】
このように、ディスク再生装置は、データの読み出し、復調・誤り訂正等の動作を繰り返すことにより、所定容量の復調データをトラックバッファ１０４に溜め込む。そして、システムデコーダ１０５にて連続して復調データをデコードすることにより、違和感なく連続的に映像等を再生することができる。
【０００８】
【発明が解決しようとする課題】
しかしながら、上述した従来のディスク再生装置は、再生対象のディスクｄが、部分的に傷の多い物や、製造上の欠陥が生じている物であると、設定したアドレスのデータをサーチする際に、目標のアドレスが読み込めないため、データを読み出せない場合がある。
このような場合、ディスク再生装置は、サーチを繰り返すだけで、再生動作が中断され、それ以降の再生動作を行わないという問題があった。
すなわち、ディスクｄに読み取れない箇所が生じていると、通常の再生時にディスク再生装置にて、その箇所でのサーチが永遠に繰り返され、再生動作が中断されるため、利用者は、その箇所以降の映像や音声を視聴することができないこととなる。
【０００９】
本発明は、上記実状に鑑みてなされたもので、再生困難な箇所を有するディスクを適切に再生することのできるディスク再生装置および再生制御方法を提供することを目的とする。
【００１０】
【課題を解決するための手段】
上記目的を達成するため、本発明の第１の観点に係るディスク再生装置は、
読み出し対象となる対象データのディスク上におけるアドレスを設定する設定手段と、
前記設定手段により設定されたアドレスをサーチし、対象データをディスクから読み出す読出手段と
前記読出手段が設定されたアドレスをサーチできない場合に、再生信号のジッタ値を取得する取得手段と、
前記取得手段により取得されたジッタ値が予め定められた規定値を超えている場合に、前記設定手段により設定されたアドレスを破棄し、読出手段を制御して次の対象データをサーチさせる読出制御手段と、
を備えることを特徴とする。
【００１１】
この発明によれば、設定手段は、例えば、再生管理情報に従って、読み出し対象となる対象データのディスク上におけるアドレスを設定する。読出手段は、設定手段により設定されたアドレスをサーチし、対象データをディスクから読み出す。取得手段は、読出手段が設定されたアドレスをサーチできない場合に、再生信号のジッタ値を取得する。読出制御手段は、取得手段により取得されたジッタ値が予め定められた規定値を超えている場合に、設定手段により設定されたアドレスを破棄し、読出手段を制御して例えば、数秒後先の対象データをサーチさせる。このように、ディスク上の目的のアドレスをサーチできずに、対象データを読み出せない場合に、ジッタ値に従って、ディスクに生じた部分的な傷や製造上の欠陥等が原因であると判別すると、次のデータをサーチして読み出す。このため、サーチが繰り返し行われて再生動作が中断し続けることがなくなる。この結果、再生困難な箇所を有するディスクを適切に再生することができる。
【００１２】
上記目的を達成するため、本発明の第２の観点に係るディスク再生装置は、
所定の再生管理情報に従って、読み出し対象となる対象データのディスク上におけるアドレスを設定する設定手段と、
前記設定手段により設定されたアドレスをサーチし、取得した再生信号により対象データをディスクから読み出す読出手段と、
前記読出手段が設定されたアドレスの対象データをサーチできない場合に、再生信号のジッタ値を取得する取得手段と、
前記取得手段により取得されたジッタ値が予め定められた規定値を超えているか否かを判別する判別手段と、
前記判別手段によりジッタ値が規定値を超えていると判別された場合に、前記設定手段により設定されたアドレスを破棄し、前記読出手段を制御して次の対象データをサーチさせる読出制御手段と、
を備えることを特徴とする。
【００１３】
この発明によれば、設定手段は、例えば、NV_Pack等の再生管理情報に従って、読み出し対象となる対象データ（ＶＯＢＵ）のディスク上におけるアドレスを設定する。読出手段は、設定手段により設定されたアドレスをサーチし、取得した再生信号により対象データをディスクから読み出す。取得手段は、読出手段が設定されたアドレスをサーチできない場合に、再生信号のジッタ値を取得する。判別手段は、取得手段により取得されたジッタ値が予め定められた規定値を超えているか否かを判別する。読出制御手段は、判別手段によりジッタ値が規定値を超えていると判別された場合に、設定手段により設定されたアドレスを破棄し、読出手段を制御して例えば、数秒後先の対象データをサーチさせる。このように、ディスク上の目的のアドレスをサーチできずに、対象データを読み出せない場合に、ジッタ値に従って、ディスクに生じた部分的な傷や製造上の欠陥等が原因であると判別すると、次の対象データをサーチして読み出す。このため、サーチが繰り返し行われて再生動作が中断し続けることがなくなる。この結果、再生困難な箇所を有するディスクを適切に再生することができる。
【００１４】
上記ディスク再生装置は、所定の表示情報を表示する表示手段と、
前記読出手段が設定されたアドレスをサーチできない場合に、ディスクの不具合により連続的にデータを再生できない旨を示す表示情報を生成して、前記表示手段に表示させる表示情報生成手段と、を更に備えてもよい。
【００１５】
上記目的を達成するため、本発明の第３の観点に再生制御方法は、
所定の再生管理情報に従って、読み出し対象となる対象データのディスク上におけるアドレスを設定する設定ステップと、
前記設定ステップにて設定されたアドレスをサーチし、取得した再生信号により対象データをディスクから読み出す読出ステップと、
前記読出ステップにて、設定されたアドレスの対象データをサーチできない場合に、再生信号のジッタ値を取得する取得ステップと、
前記取得ステップにて取得されたジッタ値が予め定められた規定値を超えているか否かを判別する判別ステップと、
前記判別ステップにてジッタ値が規定値を超えていると判別された場合に、前記設定ステップにて設定されたアドレスを破棄し、前記読出ステップにて次の対象データをサーチさせる読出制御ステップと、
を備えることを特徴とする。
【００１６】
この発明によれば、設定ステップは、例えば、NV_Pack等の再生管理情報に従って、読み出し対象となる対象データ（ＶＯＢＵ）のディスク上におけるアドレスを設定する。読出ステップは、設定ステップにて設定されたアドレスをサーチし、取得した再生信号により対象データをディスクから読み出す。取得ステップは、読出ステップにて、設定されたアドレスをサーチできない場合に、再生信号のジッタ値を取得する。判別ステップは、取得ステップにて取得されたジッタ値が予め定められた規定値を超えているか否かを判別する。読出制御ステップは、判別ステップにてジッタ値が規定値を超えていると判別された場合に、設定ステップにて設定されたアドレスを破棄し、読出ステップに例えば、数秒後先の対象データをサーチさせる。このように、ディスク上の目的のアドレスをサーチできずに、対象データを読み出せない場合に、ジッタ値に従って、ディスクに生じた部分的な傷や製造上の欠陥等が原因であると判別すると、次の対象データをサーチして読み出す。このため、サーチが繰り返し行われて再生動作が中断し続けることがなくなる。この結果、再生困難な箇所を有するディスクを適切に再生することができる。
【００１７】
【発明の実施の形態】
本発明の実施の形態にかかるディスク再生装置について、以下図面を参照して説明する。
【００１８】
図１は、この発明の実施の形態に適用されるディスク再生装置の構成の一例を示すブロック図である。図示するように、ディスク再生装置は、ピックアップ１と、ＲＦアンプ２と、モータ３と、サーボ回路４と、信号処理回路５と、トラックバッファ６と、システムデコーダ７と、システムマイコン８と、表示部９とを含んで構成される。
なお、このディスク再生装置は、一例として、ＤＶＤ（Digital Versatile Disk）規格のディスクｄに記録されたデータを再生する。
【００１９】
ＤＶＤ規格では、ＶＯＢＳ（ビデオオブジェクトセット） 単位に主映像データ、副映像データ、及び、音声データ等が管理されている。このＶＯＢＳは、例えば、映画の１作品分の情報単位である。
また、ＶＯＢＳは、複数のＶＯＢ（ビデオオブジェクト）から構成され、更に、各ＶＯＢは、複数のＣｅｌｌ（セル）からそれぞれ構成されている。
このＣｅｌｌは、例えば映画における１シーン分や１カット分の情報単位である。そして、ＤＶＤ規格では、映画等において、ストーリが複数に分岐するマルチストーリ等の機能を備えており、このような機能は、このＣｅｌｌの組合せにより実現される。
【００２０】
更に、各Ｃｅｌｌは、図２に示すように、複数のＶＯＢＵ（ビデオオブジェクトユニット）により構成されている。
このＶＯＢＵは、再生時間が０．４秒〜１．０秒の単位の情報であり、NV_Pack（ナビゲーションパック）、V_Pack（映像パック）、A_Pack（音声パック）、及び、SP_Pack（副映像パック）の集合体から構成されている。
なお、NV_Packは、再生管理情報であり、具体的に、ＶＯＢＵ内のデータをどのように再生するかを規定する情報である。
また、V_Pack、A_Pack、SP_Packは、それぞれ、映像、音声、副映像の実体データである。
【００２１】
図１に戻って、ピックアップ１は、所定波長のレーザ光をディスクｄの記録面に向けて照射し、その反射光を受けて電気信号（反射光検出信号）に変換する。ピックアップ１は、この反射光検出信号をＲＦアンプ２に供給する。
なお、ピックアップ１は、ディスクｄから対象のデータを適宜読み出すことができるように、所定のガイド軸等により、ディスクｄの径方向に移動自在に支持されている。
【００２２】
ＲＦアンプ２は、ピックアップ１より供給された反射光検出信号からＲＦ信号、トラッキング信号及びフォーカス信号等を生成する。更に、ＲＦ信号をデータスライスした二値化信号を生成する。
ＲＦアンプ２は、生成したトラッキング信号等をサーボ回路４に供給し、また、生成した二値化信号を再生信号として信号処理回路５に供給する。
また、ＲＦアンプ２は、二値化信号（再生信号）のジッタを測定し、測定したジッタに対応する電圧の信号（ジッタ値信号）を生成する。具体的にＲＦアンプ２は、生成した二値化信号と、二値化信号を入力としＰＬＬ（Phase Locked Loop）動作により得られる再生クロックとの位相誤差から、二値化信号のジッタを測定し、測定したジッタ値を示すジッタ値信号を生成する。
ＲＦアンプ２は、生成したジッタ値信号をシステムマイコン８に供給する。
【００２３】
モータ３は、ディスクｄを搭載する所定のターンテーブルを回転させるためのスピンドルモータ等からなる。モータ３は、サーボ回路４により制御され、ディスクｄを例えば、線速度が一定となるように回転駆動させる。
【００２４】
サーボ回路４は、モータ３を駆動制御し、所定の回転速度で回転駆動させる。また、サーボ回路４は、ＲＦアンプ２から供給されるトラッキング信号等により図示せぬスレッドモータを駆動制御し、ピックアップ１をディスクｄの径方向に適宜移動させる。
【００２５】
信号処理回路５は、ＲＦアンプ２から供給される再生信号を復調し、そして、誤り訂正等を行う。信号処理回路５は、この復調等により得られた復調データをトラックバッファ６に順次供給する。
【００２６】
トラックバッファ６は、所定容量のＲＡＭ（Random Access Memory）等からなり、信号処理回路５から供給された復調データを順次記憶する。
なお、トラックバッファ６に記憶された復調データは、システムデコーダ７へ逐次供給される。
【００２７】
システムデコーダ７は、トラックバッファ６から供給される復調データをデコードし、映像データ及び音声データ等を生成する。
システムデコーダ７は、生成した映像データ及び音声データ等を所定のＡＶアンプ等に供給する。
【００２８】
システムマイコン８は、例えば、ＲＯＭ（Read Only Memory）、ＲＡＭ、及び、ＣＰＵ（Central Processing Unit）を備えた１チップマイコン等からなり、ディスク再生装置全体を制御する。
システムマイコン８は、サーボ回路４等を制御して、ディスクｄに予め記録されたＰＧＣＩ（プログラムチェーン情報）と呼ばれる対象データの再生順序等を規定する固有情報を取得し、自己のＲＡＭ等に記憶する。そして、記憶したＰＧＣＩに従った対象Ｃｅｌｌ（映像等の対象データ）の読み出しを行うＰＧＣ動作を実行する。
【００２９】
具体的に、システムマイコン８は、ＰＧＣ動作を実行する際に、Ｃｅｌｌを構成する上述のＶＯＢＵの再生管理情報であるNV_Packを取得し、このNV_Packに従って、対象データ（ＶＯＢＵ）をディスクｄから再生する。
すなわち、システムマイコン８は、NV_Packを取得すると、読み出し対象となる対象データのアドレスを設定し、サーボ回路４等を制御して、設定したアドレスの対象データをサーチする。そして、サーチした対象データをディスクｄから読み出し、信号処理回路５を制御して、読み出した対象データ（再生信号）の復調及び誤り訂正等を行い、復調データをトラックバッファ６に格納する。
なお、システムマイコン８は、これらアドレス設定、サーチ、読み出し、復調・誤り訂正、及び、データ格納等からなる一連動作を、トラックバッファ６の空き容量等に応じて、繰り返し行う。
【００３０】
また、これらの動作と並行して、システムマイコン８は、システムデコーダ７を制御して、トラックバッファ６に格納されている復調データをデコードし、映像データ及び音声データ等を順次生成する。
【００３１】
ところで、システムマイコン８は、再生対象のディスクｄが、部分的に傷の多い物や、製造上の欠陥が生じている物であると、設定したアドレスの対象データをサーチする際に、目標のアドレスが読み込めないため、サーチを何回も繰り返しても、対象データを読み出せない場合がある。
そのような場合に、システムマイコン８は、サーチを所定回数まで繰り返しても、対象データを読み出せないと、ＲＦアンプ２から供給されるジッタ値信号を取得し、現在のジッタ値が規定値以内であるか否かを判別する。
そして、システムマイコン８は、ジッタ値が規定値以内でない（規定値を超えている）と判別した場合に、対象データをサーチできない（目標のアドレスが読み込めない）原因が、ディスクｄに生じた部分的な傷や製造上の欠陥によるものとし、次のプログラム（例えば、次のNV_Packや、数秒後先の再生対象の対象データ等）を設定して、新たにサーチを行う。
【００３２】
表示部９は、ＬＣＤ（Liquid Crystal Display）パネル等からなり、ディスク再生装置の動作状況等を表示する。例えば、表示部９は、ディスクｄから所望の対象データの読み出しができない場合に、「読み取れない箇所が生じました。連続した映像及び音声の出力ができません。」等のメッセージを表示する。
【００３３】
以下、この発明の実施の形態に係るディスク再生装置の動作について図３を参照して説明する。図３は、システムマイコン８が実行する再生制御処理について説明するためのフローチャートである。なお、この再生制御処理は、再生対象のディスクｄからＰＧＣＩ（プログラムチェーン情報）が読み出された状態で、図示せぬ操作部を介して、再生開始が指示された後に開始する。
【００３４】
システムマイコン８は、ＰＧＣＩに従って、対象Ｃｅｌｌを構成するＶＯＢＵの再生管理情報であるNV_Packを取得し、このNV_packからディスク上のアドレスを設定する（ステップＳ１１）。すなわち、システムマイコン８は、NV_Packに従って、読み出し対象となる対象データ（ＶＯＢＵ）のアドレスを設定する。
【００３５】
システムマイコン８は、サーボ回路４等を制御し、設定したアドレスを基に、対象のデータ（ＶＯＢＵ）をサーチする（ステップＳ１２）。
システムマイコン８は、シークが完了したか否かを判別する（ステップＳ１３）。すなわち、システムマイコン８は、目標のアドレスを読み込み、対象のデータをサーチできたかを判別する。
【００３６】
システムマイコン８は、シークが完了したと判別した場合、後述するステップＳ２１に処理を進める。一方、シークが完了していないと判別した場合に、システムマイコン８は、ＲＦアンプ２からジッタ値を取得する（ステップＳ１４）。すなわち、システムマイコン８は、目標のアドレスが読み込めないため、サーチを所定回数まで繰り返しても、対象データを読み出せないと判別した場合に、ＲＦアンプ２から供給されるジッタ値信号を取得する。
【００３７】
システムマイコン８は、取得したジッタ値が規定値以内であるか否かを判別する（ステップＳ１５）。例えば、システムマイコン８は、取得したジッタ値がＤＶＤ規格に規定されている８％以内であるか否かを判別する。なお、このジッタ値の規定値は、信号処理回路５の誤り訂正能力等から定めてもよい。
【００３８】
システムマイコン８は、ジッタ値が規定値以内でない（規定値を超えている）と判別した場合、後述するステップＳ１８に処理を進める。一方、ジッタ値が規定値以内であると判別した場合に、システムマイコン８は、再度目標のアドレスのデータをサーチし（ステップＳ１６）、シークが完了したか否かを判別する（ステップＳ１７）。
【００３９】
システムマイコン８は、シークが完了していないと判別した場合（又、ステップＳ１５にて、ジッタ値が規定値以内でないと判別した場合）、設定したアドレスを破棄する（ステップＳ１８）。すなわち、システムマイコン８は、対象データをサーチできない（目標のアドレスが読み込めない）原因が、ディスクｄに部分的に生じた傷や製造上の欠陥によるものとし、設定した対象データのアドレスを破棄する。
【００４０】
システムマイコン８は、ディスクｄの不具合によりデータを連続的に再生できない旨の所定のメッセージを表示部９に表示する（ステップＳ１９）。例えば、システムマイコン８は、「読み取れない箇所が生じました。連続した映像及び音声の出力ができません。」等のメッセージを生成し、表示部９に表示する。
【００４１】
また、システムマイコン８は、対象データのアドレスを破棄すると、次のプログラムを設定する（ステップＳ２０）。
なお、次のプログラムとは、具体的に、次のNV_Packや、図４（ａ）に示すような、読み取れない対象データの数秒後の再生対象の対象データ等である（ただし、逆方向再生時においては、数秒前の再生対象の対象データとなる）。
なお、図４（ｂ）に示すように、NV_Pack自体が読み取れない場合には、次のプログラム番号（例えば、チャプタ）となる。
また、NV_Packに含まれるDSI（データサーチインフォメーション）中のVOBU_SRI（ＶＯＢＵ・サーチ情報）に規定される範囲（ＶＯＢＵ間の時間間隔等）にて、正確なサーチが困難な場合には、次のプログラム番号（例えば、チャプタ）となる。
【００４２】
図３に戻って、ステップＳ１７（又は、ステップＳ１３）にて、シークが完了したと判別した場合に、システムマイコン８は、信号処理回路５を制御し、復調・誤り訂正を行う（ステップＳ２１）。すなわち、システムマイコン８は、設定したアドレスの対象データを読み出すと、信号処理回路５を制御し、読み出した対象データ（再生信号）を復調し、そして、誤り訂正等を行う。
システムマイコン８は、復調等により得られた復調データをトラックバッファ６に格納する（ステップＳ２２）。
【００４３】
そして、システムマイコン８は、システムデコーダ７を制御し、デコードを行う（ステップＳ２３）。すなわち、システムマイコン８は、トラックバッファ６に格納されている復調データをデコードし、映像データ及び音声データ等を生成する。
システムデコーダ７は、デコードした映像データ及び音声データを図示せぬＡＶアンプ等に供給する。
【００４４】
このように、再生制御処理により、サーチを所定回数まで繰り返しても、対象データを読み出せないと、システムマイコン８は、ＲＦアンプ２から供給されるジッタ値信号を取得し、現在のジッタ値が規定値以内であるか否かを判別する。そして、ジッタ値が規定値を超えていると判別すると、対象データをサーチできない（目標のアドレスが読み込めない）原因が、ディスクｄに生じた部分的な傷や製造上の欠陥によるものとし、システムマイコン８は、次のプログラムを設定して、新たにサーチを行う。
このため、対象データを読み出せない場合でも、次のプログラムを設定でき、再生動作が永久に止まってしまう（ハングアップ状態となる）ことがなくなる。そして、ジッタ値に従って、シークが収束しない（サーチができない）原因が、ディスク固有の不具合（傷等）であるか否かを適切に判別できる。
この結果、再生困難な箇所を有するディスクを適切に再生することができる。
【００４５】
また、対象データを読み出せない場合に、システムマイコン８は、所定のメッセージを表示部９に表示するため、利用者に、ディスクｄの不具合により連続的に再生できない旨を報知することができる。
【００４６】
上記の実施の形態では、サーチを所定回数まで繰り返しても、対象データを読み出せない場合にだけ、ＲＦアンプ２から供給されるジッタ値信号を取得し、現在のジッタ値が規定値以内であるか否かを判別したが、常時、ジッタ値信号を取得するようにし、常にジッタ値が規定値以内であるか否かを判別してもよい。
これは、例えば、トラックバッファ６の容量が十分に大きく、かつ、ディスクの回転速度、及び、シーク収束速度等が十分に速いディスク再生装置においては、ジッタ値を常時監視しても、再生動作の妨げとならないためである。
この際、ジッタ値が規定値以内であるにもかかわらず、再度サーチをしても、所望のデータが読み出せない場合に、次のプログラムを設定し、サーチしてもよい。
【００４７】
上記の実施の形態では、ＰＧＣＩに従ったＰＧＣ動作における再生制御処理について説明したが、ＰＧＣ動作以外の動作、例えば、利用者に選択された任意の再生順序に従った再生動作等においても適宜適用可能である。
【００４８】
上記の実施の形態では、ＤＶＤ規格のディスクｄを再生するディスク再生装置について説明したが、ディスク再生装置が再生する記録媒体は、任意である。
例えば、ディスク再生装置は、再生対象の記録媒体として他に、ＣＤ、ＭＤ、ＭＯ等のディスクを再生してもよい。
【００４９】
【発明の効果】
以上説明したように、本発明によれば、再生困難な箇所を有するディスクを適切に再生することができる。
【図面の簡単な説明】
【図１】本発明の実施の形態に係るディスク再生装置の構成の一例を示すブロック図である。
【図２】ディスクに記録されるＶＯＢＵ等の情報の一例を示す模式図である。
【図３】本発明の実施の形態に係る再生制御処理を説明するためのフローチャートである。
【図４】設定する次のプログラムを説明するための模式図であり、（ａ）が対象データを読み取れない場合の図であり、（ｂ）がNV_Pack自体を読み取れない場合の図である。
【図５】従来のディスク再生装置の構成の一例を示すブロック図である。
【図６】従来のディスク再生装置の動作を説明するための模式図である。
【符号の説明】
１  ピックアップ
２  ＲＦアンプ
３  モータ
４  サーボ回路
５  信号処理回路
６  トラックバッファ
７  システムデコーダ
８  システムマイコン
９  表示部
【図１】
0003679332.tif 000002
【図２】
0003679332.tif 000003
【図３】
0003679332.tif 000004
【図４】
0003679332.tif 000005
【図５】
0003679332.tif 000006
【図６】
0003679332.tif 000007